(57)【要約】【課題】  本発明は従来のサイフォン力を利用した上記の器具排水工法を更に改良し、リフォ−ム時や、器具排水管の修理の際には、最小限の床を剥すだけで作業が終了するという器具排水管更新時に威力を発揮する水回り器具排水工法を提供するものである。【解決手段】  排水立管と、水回り器具からの器具排水管と、当該器具排水管を床面より落差をもって排水立管に合流させてなるサイフォン力を利用した器具排水工法にあって、前記器具排水管は可撓性樹脂管を用い、水回り器具と立管合流部との間にガイド管を敷設し、このガイド管内に当該可撓管が配設された水回り器具排水工法。３‥器具排水管、１０‥ガイド管、１１‥サドルバンド、１２‥水回り器具側の短管、１３‥樹脂製カバ−、２０‥継手。【選択図】  図２
2006241707.tif 000002
【特許請求の範囲】
【請求項１】
排水立管と、水回り器具からの器具排水管と、当該器具排水管を床面より落差をもって排水立管に合流させてなるサイフォン力を利用した器具排水工法にあって、前記器具排水管は可撓性樹脂管を用い、水回り器具と立管合流部との間にガイド管を敷設し、このガイド管内に当該可撓管が配設されたことを特徴とする水回り器具排水工法。
【請求項２】
水回り器具からの器具排水管は排水立管に至るまで他の器具排水管と合流しない構造とした請求項１記載の水回り器具排水工法。
【発明の詳細な説明】
【技術分野】
【０００１】
本発明はリフォ−ム工事等における新たな器具排水工法に関するものである。
【背景技術】
【０００２】
従来より洗面台や台所等の水回り器具からの器具排水工法は、器具排水管として塩ビ等の管材を用い、所定の勾配を付けて固定金具等で床面に直接固定し排水立管まで導いていた。そして、通常は排水立管に至る間に、通常では異なる水回り器具からの器具排水管を合流継手を用いて、より管径の大きい器具排水管に合流させることが行われていた。
【０００３】
しかるに、リフォ−ム時や、器具排水管の修理の際には、かかる既設の管材を取り出す必要があり、このため、器具排水管を固定してある周辺の床全体を剥す必要があった。更に、器具排水管を固定する固定金具にあっても、全箇所取り外してから新しい器具排水管をセットし、再度固定し直すこととなり、作業時間が長く、かつ、無駄な箇所の作業も行われることともなり、コスト面においても多額の費用を要していた。
【０００４】
一方、水回り器具の排水工法としてサイフォン力を利用した器具排水工法が新たに提案されている（特許文献１）。この器具排水工法は水回り器具からの器具排水工法として最も優れた工法であり、一つの水回り器具からの排水は、排水過程において排水立管までの間に他の器具排水管と合流する部位がなく、しかも排水はサイフォン力を利用するため排水管に特別勾配の設定が不要であり、若干の上り勾配があっても排水が十分可能となったものである。更には、このために管材は２０Ａ程度の比較的細い管材でよく、更に又、かかる管材に制限はなく、例えばポリブテン管等の可撓管が最適である。
【０００５】
【特許文献１】特開２０００−２９７４４７号公報
【発明の開示】
【発明が解決しようとする課題】
【０００６】
本発明は以上のような従来の課題を解決するためになされたものであり、サイフォン力を利用した上記の器具排水工法を更に改良し、リフォ−ム時や、器具排水管の修理の際には、最小限の床を剥すだけで作業が終了するという器具排水管更新時に威力を発揮する水回り器具排水工法を提供するものである。
【課題を解決するための手段】
【０００７】
本発明の要旨は、排水立管と、水回り器具からの器具排水管と、当該器具排水管を床面より落差をもって排水立管に合流させてなるサイフォン力を利用した器具排水工法にあって、前記器具排水管は可撓性樹脂管を用い、水回り器具と立管合流部との間に器具排水管を案内するガイド管を敷設し、このガイド管内に当該可撓管が配設されたことを特徴とする工法である。
【０００８】
勿論、水回り器具からの器具排水管は排水立管に至るまで他の器具排水管と合流しない構造としたもので、通常は水回り器具からの器具排水管が例えばポリブテン管であり、その他架橋ポリエチレン、軟質塩ビ等が用いられる。
【発明の効果】
【０００９】
水回り器具からの器具排水管のリフォ−ムや修理の際にあって、本発明ではガイド管の始点と終点の床を剥すのみで作業が行われることとなり、作業性の簡便さは勿論、コストも著しく低減できたものであり、その効果は極めて大きいものである。
【発明を実施するための最良の形態】
【００１０】
先ず、本発明の基礎となるサイフォン力による器具排水工法の概要を説明すると、図１に示すように、各階を貫く排水立管１と、各階の水周り器具２から導かれる器具排水管３と、排水立管１へ器具排水管３を接続する合流部継手４とからなる器具排水工法であって、器具排水管３を合流することなく排水立管１へ導くもので、前記合流部継手４への合流レベルを排水階床スラブ５のレベルより下げ、器具排水管３内の流体に垂直速度成分を十分に付与してから排水立管１内の流体に合流させる工法である。
【００１１】
そして、水回り器具２からの排水の流れについて言えば、排水口水頭Ｈｐのポテンシャルエネルギ−を利用して無勾配の器具排水管３へ水を流し、次いで、サイフォン水頭Ｈｓのポテンシャルエネルギ−にて器具排水管３内の水を誘導し、排水立管１へ導く工法である。このため、器具排水管３に勾配がなくとも、逆に若干の逆勾配があったとしてもＨｓのポテンシャルエネルギ−によって器具排水管３内の水にサイフォン力を与えることができたものである。
【００１２】
さて、本発明の最大の特徴は器具排水管３の設置に関するものであり、従来の器具排水管は排水立管に至る間に器具排水管同士を合流させることが行われており、ガイド管を適用する等ということは全く考えられなかった。
【００１３】
しかるに、本発明にあっては、サイフォン力による排水工法の器具排水管３の無勾配配置を可能としたことと、器具排水管３を途中で合流させないという特性を生かし、更には、サイフォン力によって排水されることから器具排水管が比較的細目の管でよいという特徴から、水回り器具と合流部継手４の間の少なくとも床上に配置する部位にガイド管を固定・配置し、器具排水管をガイド管内に納めたものである。
【実施例】
【００１４】
以下、本発明を図面をもって更に詳細に説明する。図２は器具排水管３が配設される床５面にガイド管１０を配置・固定した全体図である。尚、この図におけるガイド管１０は合流部継手４まで垂下させてあるが、床５面のみに配置したものであってもよいことは言うまでもない。
【００１５】
さて、図３に本発明の主要部の拡大図を示すが、ガイド管１０は管径３６Ａのポリエチレン管であり、ガイド管１０の先端を水回り器具２の近辺に配置し、サドルバンド１１にて床５面に固定されている。そして、管径２０Ａの器具排水管３をガイド管１０内に差し込み、一方、水回り器具２の排水口には、例えば金属製の短管１２が接続されており、この短管１２と器具排水管３が継手２０によって接続されることとなる。そして、この接続部位を樹脂製のカバ−１３にて覆ってなるものである。器具排水管３の他端も同様に合流部継手４と接続されるものである。
【００１６】
器具排水管３は前記したように比較的細く、かつ器具排水管３、３同士が途中で合流する構造ではないので、器具排水管３の両端の接続を解除し、これを引き出すことにより器具排水管３をガイド管１０より抜き出すことが容易となり、一方、このガイド管１０に器具排水管３を差し込み、両端を接続することにより容易に配管できることとなる。
【００１７】
このガイド管１０は、リフォ−ム時や修理の際には器具排水管３の両端部に該当する部位の点検口を開けるだけで配管が可能となったもので、従来のように器具排水管が配置・固定されている全ての部位の床を剥す等という必要が全くなくなり、その効果は極めて大きい。
【００１８】
接続継手２０にあっては特に限定されるものではないが、更新時に接続しやすい構造のものが特に好ましい。
【００１９】
尚、ガイド管１０は床５面上に配置・固定する他、図示はしないが、床スラブに埋め込まれる場合もある。
【産業上の利用可能性】
【００２０】
本発明は特にサイフォン力を利用した排水工法について説明したが、器具排水管が途中で合流されない場合にはいかなる工法による器具排水管にも適用できるものであり、その利用範囲は極めて広い。特に言えば、リフォ−ム等の器具排水管の更新時に利便性があり、これは器具排水管が一本一本独立して配管されるシステムだからこそ採用できたものである。
【図面の簡単な説明】
【００２１】
【図１】図１はサイフォン力による器具排水工法の概要を示す図である。
【図２】図２はガイド管及び器具排水管の配置・固定を示す全体図である。
【図３】図３は本発明の主要部の拡大図である。
【符号の説明】
【００２２】
１‥排水立管、
２‥水周り器具、
３‥器具排水管、
４‥合流部継手、
５‥床スラブ、
１０‥ガイド管、
１１‥サドルバンド、
１２‥水回り器具側の短管、
１３‥樹脂製カバ−、
２０‥継手、
Ｈｐ‥排水口水頭、
Ｈｓ‥サイフォン水頭。
【図１】
2006241707.tif 000003
【図２】
2006241707.tif 000004
【図３】
2006241707.tif 000005